(57)【要約】【課題】建築設備点検口の蓋の開閉操作を容易にし、蓋の破損又は損傷を防止するとともに、ボード建材の施工前に建築設備点検口の枠体を軸組部材に固定する。【解決手段】壁面用の建築設備点検口(1)は、壁下地材(6)に取付け可能な点検口枠(2)と、点検口枠に装着可能な点検口蓋(4)とを有し、点検口枠の枠体(20)は、点検用開口部(21)を形成する。点検口蓋の板体(40)には、トーションスプリング(41) のコイル部分(43)が係留される。トーションスプリングは、脚部(42)を互いに接近させた状態でスプリング係止具(22)のスプリング係止用スロット(28)に受入れられ、スロットの縁部(28a)は、脚部に当接し、トーションスプリングの弾性反発力に抗して脚部を保持する。【選択図】図１
0003121632.tif 000002
【実用新案登録請求の範囲】
【請求項１】
建築物の壁内に隠蔽された建築設備を点検するための壁面用の建築設備点検口において、
壁下地材に取付け可能な点検口枠と、点検口枠に装着可能な点検口蓋と有し、
前記点検口枠は、点検用開口部を形成する枠体と、点検用開口部に配置されたスプリング係止具とを有し、
前記点検口蓋は、前記開口部よりも大きな寸法及び形状を有する開口閉鎖用の板体と、コイル部分を前記板体に係留したトーションスプリングとを有し、
前記スプリング係止具は、前記トーションスプリングの脚部を互いに接近させた状態で受入れるスプリング係止用スロットを有し、該スロットの縁部は、前記脚部に当接し、前記トーションスプリングの弾性反発力に抗して前記脚部を保持することを特徴とする建築設備点検口。
【請求項２】
前記枠体は、左右一対の前記スプリング係止具を有し、前記点検口蓋は、左右一対の前記トーションスプリングを有することを特徴とする請求項１に記載の建築設備点検口。
【請求項３】
前記点検口枠は、壁下地材に取付けられる平板状の方形枠体からなり、該枠体は、直角に突出する見切り縁を有し、該見切り縁には、ボード建材の小口面が突付けられることを特徴とする請求項１又は２に記載の建築設備点検口。
【請求項４】
前記板体は、面材として壁面の開口縁に当接する方形板からなり、該方形板の裏面には、補強部材が固定されることを特徴とする請求項１乃至３のいずれか１項に記載の建築設備点検口。
【請求項５】
前記板体は、面材として壁面の開口縁に当接する方形板からなり、該方形板の裏面には、補強部材が固定され、前記補強部材は、点検口蓋の取付け時又は取外し時に前記見切り縁に摺接するように配置されることを特徴とする請求項３に記載の表示具。
【請求項６】
前記スロットは、前記開口部の内方に部分的に開口した垂直な長孔からなることを特徴とする請求項請求項１乃至５のいずれか１項に記載の表示具。
【考案の詳細な説明】
【技術分野】
【０００１】
本考案は、建築設備点検口に関するものであり、より詳細には、建築物の壁内に隠蔽された配線又は配管等を点検するための壁面用の建築設備点検口に関するものである。
【背景技術】
【０００２】
一般に、中高層建築物の設備配線又は配管等は、配管・配線シャフト内、天井裏又は床下等に配置され、電気配線、通信配線、計器類、給排水衛生配管、空調設備配管、換気ダクト等は、生活空間又は業務空間等から隠蔽される。通常は、建築物は、このような設備配管・配線等の点検、改修等を行うための建築設備点検口を備えるので、建築物の管理者等は、壁面、天井面又は床面等に配置された点検口から壁内、床下又は天井裏等に隠蔽された配管・配線等を点検し又は改修することができる。
【０００３】
このような建築設備点検口は、建築物の内装部材に取付け可能な枠体と、枠体の開口部に装着可能な蓋体として建設現場に供給され、建築物の床、天井、壁等に取付けられる。床下の配管、配線等を点検するための建築設備点検口として、例えば、特開平６−１４６３１７号公報に記載された床点検口を例示し得る。また、天井面に取付け可能な点検口として、特開２００３−１２００１３号公報に開示されたものを例示し得る。
【０００４】
壁内又は竪シャフト内に隠蔽した配管、配線等を点検するために壁面に取付けられる壁面用の建築設備点検口が、建築資材の市場に流通している。従来の壁面用点検口は、樹脂押出成形材からなる方形の点検口枠と、枠体の開口部を閉鎖する内蓋とから構成される。壁面用点検口は、建築物の利用者等が手指で触れ又は視覚的に意識する高さに配置されることから、壁面意匠との調和又は整合性を重視する傾向がある。例えば、壁面仕上材と同一又は同等の建材が内蓋の表面に取付けられ又は貼着され、或いは、壁面のボード建材と同一又は同等のボード建材を内蓋の形状及び寸法に裁断し、ボード片の外周に枠材を装着することにより、内蓋の現場製作が行われている。
【０００５】
図１０は、建築資材の市場に流通している従来の壁面用点検口の構造を概略的に示す横断面図及び縦断面図である。
【０００６】
石膏ボード等のボード建材１０７を間柱１０５に固定してなる片面ボード貼りの壁体が図１０に例示されている。壁体の背面領域１１０は、建築設備配管、配線等のための設備用竪シャフトとして使用される。ボード建材１０７には、点検口用の開口部が形成され、開口補強用の横架材１０６が、間柱１０５の間に架設される。ボード建材１０７の開口部には、建築設備点検口１０１が配置される。建築設備点検口１０１は、間柱１０５及び横架材１０６に固定された点検口枠１０２と、点検口枠１０２の開口に嵌装した内蓋１０４とから構成される。内蓋１０４は、ボード建材１０７と同一又は同等のボード建材の裁断片からなり、点検口枠１０２のカバー部分１０３に着脱可能に嵌装される。
【特許文献１】特開平６−１４６３１７号公報
【特許文献２】特開２００３−１２００１３号公報
【考案の開示】
【考案が解決しようとする課題】
【０００７】
しかしながら、このような現場製作型の点検口は、点検口蓋の開閉時に蓋の破損又は損傷が生じ易く、殊に、蓋の外縁部分が損傷し易い。また、点検口蓋の開閉は、手指で蓋体を点検口から取外し、或いは、手指で点検口の開口部に嵌め込む操作によって行わなければならず、煩わしい開閉操作が必要とされる。
【０００８】
また、従来の壁用点検口は、壁面のボード建材を木製間柱や、鋼製スタッド等に取付けた後に点検口枠を壁面開口部に取付けるように構成されており、点検口用の開口部をボード施工時にボード建材に予め形成し、或いは、ボート施工後にボード建材を切断し、壁面に開口部を形成しなければならない。このため、点検口用開口部の位置と、点検口設置位置とが相違し又はずれたり、点検口用の開口部の位置と、開口補強下地材の位置とが相違し又はずれしてしまうという問題が生じていた。
【０００９】
本考案は、このような事情に鑑みてなされたものであり、その目的とするところは、点検口蓋の開閉操作を容易にし、点検口蓋の破損又は損傷を防止するとともに、ボード建材の施工前に枠体を木製間柱又は鋼製スタッド等の軸組部材に固定することができる壁面用の建築設備点検口を提供することにある。
【課題を解決するための手段】
【００１０】
本考案は、上記目的を達成すべく、建築物の壁内に隠蔽された建築設備を点検するための壁面用の建築設備点検口において、
壁下地材に取付け可能な点検口枠と、点検口枠に装着可能な点検口蓋と有し、
前記点検口枠は、点検用開口部を形成する枠体と、点検用開口部に配置されたスプリング係止具とを有し、
前記点検口蓋は、前記開口部よりも大きな寸法及び形状を有する開口閉鎖用の板体と、コイル部分を前記板体に係留したトーションスプリングとを有し、
前記スプリング係止具は、前記トーションスプリングの脚部を互いに接近させた状態で受入れるスプリング係止用スロットを有し、該スロットの縁部は、前記脚部に当接し、前記トーションスプリングの弾性反発力に抗して前記脚部を保持することを特徴とする建築設備点検口を提供する。
【００１１】
本考案の上記構成によれば、点検口蓋は、トーションスプリングによって点検口枠に連結される。従って、点検口枠を木製間柱又は鋼製スタッド等の軸組部材に取付け、壁面のボード施工後又は仕上げ工事後の任意の時期に点検口蓋を点検口枠に取付けることができる。しかも、本考案の建築設備点検口は、壁面を構成するボード建材の厚さの相違をトーションスプリングによって吸収し又は補償することができるので、多種多様な設計の壁体に使用することができる。
【００１２】
また、本考案の上記構成によれば、点検口枠は、トーションスプリングの弾性反発力を利用してトーションスプリングの脚部を拘束する。トーションスプリングのコイル部分は、点検口蓋の板体に係留されているので、点検口蓋の板体は、トーションスプリングを介して点検口枠に連結され、点検用開口部を閉鎖する。点検口蓋を開放する際、トーションスプリングの脚部は、スロットの縁部を摺動しながら変形する。従って、点検口蓋は、適度な拘束力を受けながら移動し、点検用開口部を開放する。点検口蓋を点検用開口部から取り外すには、トーションスプリングの脚部をスロットから離脱させれば良く、また、点検用開口部を閉鎖するには、トーションスプリングの脚部を手指で強制的に変形させてスロット内に挿入し、変形力を解放した後、点検口蓋を閉鎖位置まで移動させれば良い。点検口蓋が移動する間、トーションスプリングの脚部は、スロットの縁部を摺動する。即ち、本考案の建築設備点検口は、トーションスプリングの弾力的な拘束力と、点検口枠に対するトーションスプリングの摺動性とを利用したものであることから、点検口蓋の開閉操作は、このような拘束力及び摺動性の下で行うことができるので、開閉時の点検口蓋の破損又は損傷を防止することができる。
【考案の効果】
【００１３】
本考案の壁面用建築設備点検口によれば、点検口蓋の開閉操作を容易にし、点検口蓋の破損又は損傷を防止するとともに、ボード建材の施工前に枠体を木製間柱又は鋼製スタッド等の軸組部材に固定することができる。
【考案を実施するための最良の形態】
【００１４】
本考案の好適な実施形態によれば、上記点検口枠は、左右一対のスプリング係止具を有し、上記点検口蓋は、左右一対のトーションスプリングを有し、上記スロットは、開口部の内方に部分的に開放した垂直な長孔からなる。
【００１５】
好適には、点検口枠の枠体は、壁下地材に取付けられる平板状の方形枠体からなり、方形枠体は、直角に突出する見切り縁を有し、見切り縁には、ボード建材の小口面が突付けられる。
【００１６】
好ましくは、上記板体は、面材として壁面の開口縁に当接する方形板体からなり、方形板の裏面には、補強部材が固定され、補強部材は、点検口蓋の取付け時に上記見切り縁に摺接するように配置される。
【実施例１】
【００１７】
以下、添付図面を参照して、本考案の好適な実施例について詳細に説明する。
【００１８】
図１は、本考案の実施例を示す建築設備点検口の分解斜視図である。
【００１９】
建築設備点検口１は、壁下地材（開口補強下地）６に取付け可能な点検口枠２と、点検口枠２に装着可能な点検口蓋４とから構成される。点検口枠２は、方形枠体２０と、点検用開口部２１に配置された左右一対のスプリング係止具２２とを有する。点検口蓋４は、開口部２１よりも大きな寸法・形状を有する方形板４０と、スプリング係止具２２に係止可能な左右一対の金属製トーションスプリング４１とを有する。
【００２０】
壁下地材６０は、鋼製スタッド又は木製間柱等の垂直下地材６１と、垂直下地材６１の間に架設された上下一対の水平下地材６２とから構成される。下地材６１、６２は、壁体の壁芯位置に配置され、壁体の裏側に施工された配管、配線等を点検するための開口部６３を画成する。複数の円形孔２３が、上縁及び下縁に沿って点検口枠２に穿設される。点検口枠２は、円形孔２３を利用して下地材６１、６２にビス留めされ又は釘留めされる。
【００２１】
図２は、点検口枠２の構造を示す斜視図である。
【００２２】
点検口枠２の方形枠体２０は、開口部２１の縁部に沿って直角且つ正面側に突出した曲げ変形部２４、２５を備える。曲げ変形部２４は、開口部２１の垂直縁に沿って垂直に延び、曲げ変形部２５は、開口部２１の上縁及び下縁に沿って水平に延びる。曲げ変形部２４、２５は、壁体を構成するボード建材（図示せず）の見切り縁を構成する。スプリング係止具２２は、曲げ変形部２４の内側面に固定されたブラケット部分２６と、ブラケット部分２６の先端から直角且つ内方に延びるスプリング係止部分２７とから構成される。スプリング係止部分２７には、開口部２１に向かって部分的に開口したスプリング係止用スロット２８が形成される。
【００２３】
図３は、点検口蓋４の構造を示す斜視図である。
【００２４】
図３には、点検口蓋４を背面側から見た斜視図が示されている。方形板４０の裏面には、複数の補強用アングル部材４７が所定位置に固定されるとともに、トーションスプリング４１のコイル部分４３を保持するための左右一対のスプリング保持具４４が方形板４０の裏面に固定される。アングル部材４７は、方形板４０の上縁及び下縁に水平に配置されるとともに、方形板４０の中央部に垂直に配置される。スプリング保持具４４は、中空部４６を形成するように曲げ加工されており、トーションスプリング４１のコイル部分４３を貫通する。スプリング保持具４４は、トーションスプリング４１を方形板４０に係留する。トーションスプリング４１は、コイル部分４３から延びる一対の脚部４２を有し、脚部４２の先端部４８は、直角に屈曲している。
【００２５】
点検口枠２を構成する方形枠体２０、スプリング係止具２２及び曲げ変形部２４、２５は夫々、厚さ約１mm程度の鋼鈑のプレス成形品からなり、これらの部品には、組付け前又は組付け後にメラミン樹脂焼付け塗装等の表面塗装が施される。点検口蓋４を構成する方形板４０及び補強用アングル部材４７も又、厚さ約１mm程度の鋼鈑のプレス成形品からなり、これらの部品には、組付け前又は組付け後にメラミン樹脂焼付け塗装等の表面塗装が施される。
【００２６】
図４は、建築設備点検口１を壁体Ｗに取付けた状態を示す横断面図及び縦断面図である。
【００２７】
点検口枠２は、円形孔２３を貫通するビス５によって下地材６１、６２に固定される。石膏ボード、珪酸カルシウム板等のボード建材７が、間柱又は鋼製スタッド等の壁体軸組部材に固定され、塗装又はクロス等の仕上げ材８が、ボード建材７の表面に施工される。建築設備点検口１の周囲では、ボード建材７は、曲げ変形部２４、２５に対して突付け貼りされる。ボード建材７は、所望により、下地材６１、６２にビス等で固定される。従って、ボード建材７の小口面は、曲げ変形部２４、２５に当接し又は近接した状態で納まる。
【００２８】
図４に示す如く、壁体Ｗの表面には、建築設備点検口１の方形板４０が露出するにすぎない。方形板４０は、厚さ約１mm程度の板体であるにすぎず、また、方形板４０の表面には、樹脂塗装等が予め施されているので、点検口枠等の縁部分が壁体表面に露出する従来の建築設備点検口に比べ、壁面の意匠性が大きく向上する。所望により、方形板４０を再塗装し、或いは、クロス仕上げ等の再仕上げ処理を方形板４０に施しても良い。
【００２９】
点検口蓋４を点検口枠２に装着するには、トーションスプリング４１によって点検口蓋４を点検口枠２に係止すれば良い。即ち、図１に矢印で示す如く、コイル部分４３の弾性反発力に抗して脚部４２を手指で接近させ、互いに接近した脚部４２をスプリング係止具２２のスプリング係止用スロット２８に挿入し、トーションスプリング４１に手指で加えた変形力を解放する。脚部４２は、弾性復元力によって拡開し、スプリング係止用スロット２８の縁部２８ａに弾力的に当接し、トーションスプリング４１は、スプリング係止具２２に係止する。トーションスプリング４１の弾性復元力は、点検口蓋４を壁体内に引き寄せる方向に作用するので、点検口蓋４は、壁面の開口を閉塞した状態で安定する。方形板４０は、面材として壁面の開口縁に当接し、アングル部材４７は、曲げ変形部２５に摺接する。
【００３０】
図５は、建築設備点検口１の開放操作を説明するための縦断面図である。
【００３１】
点検口蓋４の上縁（又は下縁）を手指で摘み、壁面から離間させると、点検口蓋４は、図５に示すように、下縁（又は上縁）廻りに傾倒する。トーションスプリング４１は、コイル部分４３の弾性反発力に抗して脚部４２を接近させながら、スプリング係止用スロット２８から離脱するように変形し且つ変移する。脚部４２は、スプリング係止用スロット２８の縁部２８ａ上を摺動する。点検口蓋４は、脚部４２とスプリング係止具２２との接点に生じる摩擦により、適度な拘束力を受けた状態で壁面から離間する。
【００３２】
図６は、点検口蓋４を壁面から完全に離間させた状態を示す横断面図及び縦断面図である。
【００３３】
点検口蓋４が所定位置まで壁面開口から離間すると、トーションスプリング４１の先端部４８は、スプリング係止具２２に衝合し、点検口蓋４の離脱を規制する。この状態が、図６に示されている。壁面開口を完全に開放するには、脚部４２を更に接近させるように手指でトーションスプリング４１を強制的に変形させ、接近した脚部４２をスプリング係止用スロット２８から離脱させれば良い。点検口蓋４は、スプリング係止具２２からのトーションスプリング４１の係合離脱により、建築設備点検口１から取外され、点検口枠２の開口部２１は、完全に開放する。
【００３４】
図７、図８及び図９は、建築設備点検口１の使用方法を示す縦断面図であり、建築設備点検口１は、軽鉄間仕切壁Ｗに取付けられる。
【００３５】
図７には、点検口蓋４を壁面開口から取り外した状態が示されており、図８には、トーションスプリング４１の先端部４８をスプリング係止具２２に係止した状態が示されている。また、図９には、点検口蓋４によって壁面開口を完全に閉鎖した状態が示されている。
【００３６】
間仕切壁Ｗの軸組は、床スラブ等の床構造体Ｆ上に配置された軽量鉄骨製床ランナ７０と、上階床スラブ等の上階構造体Ｃに固定された軽量鉄骨製天井ランナ７１と、床ランナ７０及び天井ランナ７１の間に建込んだ軽量鉄骨製スタッド７２とから構成される。下張り材として、石膏ボード等のボード建材７３が、ビス及び／又は接着剤によってスタッド７２に固定され、上張り材として、石膏ボード等のボード建材７４が、ステープル及び／又は接着剤によってボード建材７３上に固定される。ボード建材７４の表面には、塗装又はクロス貼り仕上等の所望の内装仕上材料７５が、塗布又は接着される。
【００３７】
間仕切壁Ｗの裏面側の領域８０は、建築物の配線又は配管等が配置される配管・配線用の竪シャフトとして使用される。間仕切壁Ｗの壁面には、開口部９が形成され、開口補強用の軽鉄部材７６が、スタッド７２の間に水平に架設される。点検口枠２は、ビス５によって軽鉄部材７６及びスタッド７２に固定される。曲げ変形部２４、２５は、ボード建材７３の小口面に当接し又は近接する。
【００３８】
前述の如く、トーションスプリング４１を手指で変形させて、スプリング係止具２２のスプリング係止用スロット２８に挿入することより、図８に示すように点検口蓋４を点検口枠２に係合させることができる。トーションスプリング４１の弾性反発力は、点検口蓋４を壁内に引き込むように作用するので、点検口蓋４によって比較的容易に壁面開口を閉塞することができる。点検口蓋４によって壁面開口を完全に閉塞した状態が図９に示されている。
【００３９】
建築設備点検口１を開放するには、点検口蓋４を手前に引き出せば良い。トーションスプリング４１は、コイル部分４３の弾性反発力に抗して脚部４２を接近させながら、スプリング係止用スロット２８から離脱するように変形し且つ変移し、脚部４２は、スプリング係止用スロット２８の縁部２８ａ上を摺動する。点検口蓋４は、脚部４２とスプリング係止具２２との接点に生じる摩擦により、適度な拘束力を受けた状態で壁面から離間する。
【００４０】
図７〜図９に示す使用例では、ボード建材７３、７４及び内装仕上材料７５の厚さＴは、点検口枠２の厚さＤよりも大きく、従って、点検口蓋４は、図９に示す如く、点検口枠２から離間した状態で壁面に当接する。即ち、壁面構成部材の厚さＴは、間仕切壁Ｗの設計によって相違するが、建築設備点検口１は、このような壁面構成部材の厚さＴの相違をトーションスプリング４１によって吸収し又は補償することができる。
【００４１】
以上、本考案の好適な実施例について詳細に説明したが、本考案は上記実施例に限定されるものではなく、実用新案登録請求の範囲に記載された本考案の範囲内で種々の変形又は変更が可能であるであることはいうまでもない。
【００４２】
例えば、ボンデ鋼鈑、ステンレス鋼鈑等の金属板を用いて点検口枠及び点検口蓋を製作しても良い。
【００４３】
また、気密シール材等を点検口蓋の裏面外周に取付け、ある程度の気密性を点検口に与えることも可能である。
【産業上の利用可能性】
【００４４】
本考案は、電気配線、通信配線、計器類、給排水衛生配管、空調設備配管、換気ダクト等の建築設備を点検するために壁面に配置される壁用の建築設備点検口に適用される。本考案の建築設備点検口は、点検口枠をボード建材施工前に下地材に取付けることができ、しかも、点検口扉の操作性に優れるので、実用的に極めて有利である。
【図面の簡単な説明】
【００４５】
【図１】本考案の実施例を示す建築設備点検口の分解斜視図である。
【図２】点検口枠の構造を示す斜視図である。
【図３】点検口蓋の構造を示す斜視図である。
【図４】建築設備点検口を壁体に取付けた状態を示す横断面図及び縦断面図である。
【図５】建築設備点検口の開放操作を説明するための縦断面図である。
【図６】点検口蓋を壁面から完全に離間させた状態を示す横断面図及び縦断面図である。
【図７】建築設備点検口の使用方法を示す縦断面図であり、点検口蓋を点検口枠に取り付ける前の状態が示されている。
【図８】建築設備点検口の使用方法を示す縦断面図であり、点検口蓋を点検口枠に係止した状態が示されている。
【図９】建築設備点検口の使用方法を示す縦断面図であり、点検口蓋によって壁面開口を完全に閉塞した状態が示されている。
【図１０】建築資材の市場に流通している従来の壁面用点検口の構造を概略的に示す横断面図及び縦断面図である。
【符号の説明】
【００４６】
１  建築設備点検口
２  点検口枠
４  点検口蓋
６  壁下地材（開口補強下地）
２０  方形枠体
２１  開口部
２２  スプリング係止具
２８  スプリング係止用スロット
２８ａ  縁部
４０  方形板
４１  トーションスプリング
４２  脚部
４３  コイル部分
【図１】
0003121632.tif 000003
【図２】
0003121632.tif 000004
【図３】
0003121632.tif 000005
【図４】
0003121632.tif 000006
【図５】
0003121632.tif 000007
【図６】
0003121632.tif 000008
【図７】
0003121632.tif 000009
【図８】
0003121632.tif 000010
【図９】
0003121632.tif 000011
【図１０】
0003121632.tif 000012
【手続補正書】
【提出日】平成18年3月10日(2006.3.10)
【手続補正１】
【補正対象書類名】実用新案登録請求の範囲
【補正対象項目名】請求項５
【補正方法】変更
【補正の内容】
【請求項５】
前記板体は、面材として壁面の開口縁に当接する方形板からなり、該方形板の裏面には、補強部材が固定され、前記補強部材は、点検口蓋の取付け時又は取外し時に前記見切り縁に摺接するように配置されることを特徴とする請求項３に記載の建築設備点検口。
【手続補正２】
【補正対象書類名】実用新案登録請求の範囲
【補正対象項目名】請求項６
【補正方法】変更
【補正の内容】
【請求項６】
前記スロットは、前記開口部の内方に部分的に開口した垂直な長孔からなることを特徴とする請求項１乃至５のいずれか１項に記載の建築設備点検口。